(57)【要約】      （修正有）【課題】簡単に輪ゴムを連続的に発射できる輪ゴム銃を提供する。【解決手段】輪ゴムを係止する前側係止部及び後側係止部と、前後方向に往復動作して後側係止部の発射位置に係止された輪ゴムの係止を解除して輪ゴムを発射させるスライド板と、を有する輪ゴム係止部材４０と、輪ゴム係止部材４０が周方向に所定間隔で複数設けられた第１部分２２と、前後方向に延在する中心軸を中心に第１部分に対して相対回転可能な第２部分２１と、操作子３１の操作によって第１部分と第２部分とを相対回転させる回転機構と、スライド板と第２部分とに亘って構成され第１部分と第２部分とが相対回転したときに作動されスライド板を動作させるカム機構９０と、を備える。【選択図】図２
0003200748.tif 000002
【実用新案登録請求の範囲】
【請求項１】
引き伸ばした輪ゴムの一端を係止する前側係止部と、前記輪ゴムの他端を係止する後側係止部と、前後方向に往復動作して前記後側係止部の発射位置に係止された前記輪ゴムの係止を解除して前記輪ゴムを発射させるスライド板と、を有する輪ゴム係止部材と、
前記輪ゴム係止部材が周方向に所定間隔で複数設けられた第１部分と、
前記第１部分の近くに設けられ前後方向に延在する中心軸を中心に前記第１部分に対して相対回転可能な第２部分と、
操作子の操作によって前記第１部分と前記第２部分とを相対回転させる回転機構と、
前記スライド板と前記第２部分とに亘って構成され前記第１部分と前記第２部分とが相対回転したときに作動され前記スライド板を動作させるカム機構と、
を備え、
前記第１部分と前記第２部分との相対回転位置に応じて、複数の前記カートリッジから順次に前記輪ゴムを発射させることを特徴とする輪ゴム銃。
【請求項２】
前記輪ゴム係止部材は交換可能なカートリッジで構成され、
前記第１部分は複数の前記カートリッジを周方向に所定間隔で着脱可能に保持する第１シリンダで構成され、
前記第２部分は前記第１部分の前又は後ろに連設された第２シリンダで構成されている、
ことを特徴とする請求項１に記載の輪ゴム銃。
【請求項３】
前記輪ゴム係止部材の前記後側係止部には、一端を前側係止部に係止させた複数の輪ゴムの他端を１単位ずつ別々に係止可能な複数の係止爪が所定間隔に並んで形成され、前記スライド板の一往復動作毎に当該スライド板によって前記複数の係止爪に係止された前記輪ゴムを発射位置側の係止爪に順次に移送させることを特徴とする請求項１又は請求項２に記載の輪ゴム銃。
【請求項４】
前記輪ゴム係止部材の後側係止部は前記複数の係止爪が所定間隔に並んで波形形状となっており、
前記スライド板の後端は前記後側係止部に対応する波形形状となっており、この波形形状部分は、当該スライド板の往復動作に伴って、前記輪ゴム係止部材の波形形状部分に対して出没することを特徴とする請求項３に記載の輪ゴム銃。
【請求項５】
前記操作子は、前記第１部分と前記第２部分とを支持するフレームに設けられ、且つ、前記フレームに対して所定の軸を中心に回転する回転体の偏心位置に付設されたハンドルで構成されていることを特徴とする請求項１から請求項４いずれか一項に記載の輪ゴム銃。
【請求項６】
前記第２部分は固定されていることを特徴とする請求項１から請求項５いずれか一項に記載の輪ゴム銃。
【請求項７】
前記カム機構は、前記第２部分に形成されたカムと、前記スライド板に形成された前記カムによって動作される従動子とから構成されていることを特徴とする請求項６に記載の輪ゴム銃。
【考案の詳細な説明】
【技術分野】
【０００１】
本考案は、輪ゴム銃に関し、さらに詳しくは、連発式輪ゴム銃に係わる。
【背景技術】
【０００２】
従来、輪ゴムを使用する輪ゴム銃として、前爪（前側輪ゴム係止部）と後爪（後側輪ゴム係止部）との組を円周方向に等間隔に複数有する銃身とを備え、各組を構成する前爪と後爪とに輪ゴムを係止し、銃身を回転させることで発射すべき輪ゴムを選択した後、引き金を操作することによって、輪ゴムを発射するように構成したものが知られている（例えば、特許文献１参照）。
【先行技術文献】
【特許文献】
【０００３】
【特許文献１】実開昭６２−９９５号公報
【考案の概要】
【考案が解決しようとする課題】
【０００４】
しかしながら、この輪ゴム銃では、輪ゴムの発射の度に、指により輪ゴム装着機構を回転させる必要があることから、面倒であった。
【０００５】
本考案は、簡単に輪ゴムを連続的に発射できる輪ゴム銃を提供することを目的とする。
【課題を解決するための手段】
【０００６】
請求項１に記載の輪ゴム銃は、
引き伸ばした輪ゴムの一端を係止する前側係止部と、前記輪ゴムの他端を係止する後側係止部と、前後方向に往復動作して前記後側係止部の発射位置に係止された前記輪ゴムの係止を解除して前記輪ゴムを発射させるスライド板と、を有する輪ゴム係止部材と、
前記輪ゴム係止部材が周方向に所定間隔で複数設けられた第１部分と、
前記第１部分の近くに設けられ前後方向に延在する中心軸を中心に前記第１部分に対して相対回転可能な第２部分と、
操作子の操作によって前記第１部分と前記第２部分とを相対回転させる回転機構と、
前記スライド板と前記第２部分とに亘って構成され前記第１部分と前記第２部分とが相対回転したときに作動され前記スライド板を動作させるカム機構と、
を備え、
前記第１部分と前記第２部分との相対回転位置に応じて、複数の前記カートリッジから順次に前記輪ゴムを発射させることを特徴とする。
【０００７】
請求項２に記載の輪ゴム銃は、請求項１に記載の輪ゴム銃であって、
前記輪ゴム係止部材は交換可能なカートリッジで構成され、
前記第１部分は複数の前記カートリッジを周方向に所定間隔で着脱可能に保持する第１シリンダで構成され、
前記第２部分は前記第１部分の前又は後ろに連設された第２シリンダで構成されている、
ことを特徴とする。
【０００８】
請求項３に記載の輪ゴム銃は、請求項１又は請求項２に記載の輪ゴム銃であって、
前記輪ゴム係止部材の前記後側係止部には、一端を前側係止部に係止させた複数の輪ゴムの他端を１単位ずつ別々に係止可能な複数の係止爪が所定間隔に並んで形成され、前記スライド板の一往復動作毎に当該スライド板によって前記複数の係止爪に係止された前記輪ゴムを発射位置側の係止爪に順次に移送させることを特徴とする。
【０００９】
請求項４に記載の輪ゴム銃は、請求項３に記載の輪ゴム銃であって、
前記輪ゴム係止部材の後側係止部は前記複数の係止爪が所定間隔に並んで波形形状となっており、
前記スライド板の後端は前記後側係止部に対応する波形形状となっており、この波形形状部分は、当該スライド板の往復動作に伴って、前記輪ゴム係止部材の波形形状部分に対して出没することを特徴とする。
【００１０】
請求項５に記載の輪ゴム銃は、請求項１から請求項４いずれか一項に記載の輪ゴム銃であって、前記操作子は、前記第１部分と前記第２部分とを支持するフレームに設けられ、且つ、前記フレームに対して所定の軸を中心に回転する回転体の偏心位置に付設されたハンドルで構成されていることを特徴とする。
【００１１】
請求項６に記載の輪ゴム銃は、請求項１から請求項５いずれか一項に記載の輪ゴム銃であって、前記第２部分は固定されていることを特徴とする。
【００１２】
請求項７に記載の輪ゴム銃は、請求項６に記載の輪ゴム銃であって、前記カム機構は、前記第２部分に形成されたカムと、前記スライド板に形成され前記カムによって動作される従動子とから構成されていることを特徴とする。
【考案の効果】
【００１３】
請求項１に記載の考案によれば、操作子を操作すれば、第１部分と第２部分とが相対回転し、その相対回転位置に応じて、複数の輪ゴム係止部材から順次且つ連続的に輪ゴムを発射させることができる。
【００１４】
請求項２に記載の考案によれば、輪ゴム係止部材は交換可能なカートリッジで構成され第１部分に対して着脱可能となっているため、輪ゴムを係止しておいた状態のカートリッジを準備しておけば、輪ゴム銃において発射する輪ゴムが無くなったときでも、直ぐに、カートリッジを交換することができる。
【００１５】
請求項３に記載の考案によれば、スライド板の一往復動作毎に当該スライド板によって複数の係止爪に係止された輪ゴムを発射位置側の係止爪に順次に移送させることができるので、輪ゴムがある限り、１単位ずつ輪ゴムを連続して発射させることができる。
【００１６】
請求項４に記載の考案によれば、スライド板の波形形状部分は、当該スライド板の往復動作に伴って、カートリッジの波形形状部分に対して出没するので、効果的に輪ゴムを発射位置に導くことができる。
【００１７】
請求項５に記載の考案によれば、ハンドルを一方向に回転させれば、１つずつ輪ゴムを連続して発射させることができるので、操作が簡単に行えることになる。
【００１８】
請求項６に記載の考案によれば、第２部分は固定され第１部分が回転するので、その様はリボルバー式の銃のようであり、新規且つ斬新な輪ゴム銃を実現できる。
【００１９】
請求項７に記載の考案によれば、カム機構は、第２部分に形成されたカムと、スライド板に形成されカムによって動作される従動子とから構成されているので、連射式構造を簡易な機構で実現することができる。
【図面の簡単な説明】
【００２０】
【図１】本考案に係る輪ゴム銃の一実施形態を示した斜視図である。
【図２】図１の輪ゴム銃の銃本体と１個のカートリッジとを示した斜視図である。
【図３】図１の輪ゴム銃の内部機構を示した斜視図である。
【図４】図１の輪ゴム銃のカートリッジの分解した状態を示した斜視図である。
【図５】図１の輪ゴム銃のカートリッジを示した側面図である。
【考案を実施するための形態】
【００２１】
以下、本考案に係る輪ゴム銃を図面に示した実施の形態に基づいて説明する。
【００２２】
（概略構成）
図１は、輪ゴム銃１００を示している。この輪ゴム銃１００は、特に制限はされないが、同図に示す姿勢、つまり、グリップ１０を上に銃身２０が下に来るような姿勢で、グリップ１０を左手で握り、フレーム１１横のハンドル３１を右手で時計方向に回転させることにより、銃身２０を回転させて輪ゴム１を連続的に発射させるように構成されている。
【００２３】
（細部構成）
１．銃本体１００ａの外部構成
図２は、銃本体１００ａと１個のカートリッジ（輪ゴム保持部材）４０を示している。この実施形態の輪ゴム銃１００では、銃身２０に計８個のカートリッジ４０を有している。
銃本体１００ａは、グリップ１０と、フレーム１１とを備えている。
グリップ１０はフレーム１１に立設されている。
また、フレーム１１の右横（輪ゴム銃１００の後方から見たときの右横）には、回転体３０が付設され、その偏心位置には円柱状のハンドル３１が形成されている。また、フレーム１１の前方には、銃身本体２０ａを構成する第２シリンダ（第２部分）２１及び第１シリンダ（第１部分）２２が連設されている。第２シリンダ２１はフレーム１１に固定され、第１シリンダ２２は前後方向に延在する中心軸を中心に第２シリンダ２１に対して回転可能に構成されている。
【００２４】
２．銃本体１００ａの内部機構
２−１．回転機構５０
銃本体１００ａには図３に示した回転機構５０が設けられている。この回転機構５０はハンドル３１の回転に伴って第１シリンダ２２を回転させるためのものである。この回転機構５０は、フレーム１１内に構成され、次のように構成されている。
フレーム１１内には上記回転体３０と同軸に小径歯車５０ａが固定して設けられている。この小径歯車５０ａは前隣の大径歯車５１ａに噛合している。この大径歯車５１ａと同軸には小径歯車５１ｂが固定して設けられ、この小径歯車５１ｂは前隣の大径歯車５２ａに噛合している。この大径歯車５２ａと同軸には当該大径歯車５２ａよりも僅かに小径の
歯車５２ｂが固定して設けられている。この歯車５２ｂは前隣の歯車５３ａに噛合している。この歯車５３ａと同軸にはベベル状の第１ローラ５３ｂが固定して設けられている。この第１ローラ５３ｂには前隣の同じくベベル状の第２ローラ５４がベベル面同士で当接している。この第２ローラ５４の軸５５に第１シリンダ２２は固定されている。なお、図３では便宜上軸５５は短く描かれている。
以上のように、回転機構５０は構成され、ハンドル３１を回転させると、回転機構５０を介して、第１シリンダ２２が回転することになる。
【００２５】
２−２．音出し機構６０
図３に示されるように、銃本体１００ａには音出し機構６０が設けられている。この音出し機構６０はハンドル３１を回転させた際のクリック感及びクリック音を生じさせるためのものである。この音出し機構６０は、フレーム１１内に構成され、次のように構成されている。
フレーム１１内には上記回転体３０と同軸に回転体６１が固定して設けられている。回転体６１の外周には山脈状の凹凸が形成されている。この回転体６１の外周の凹凸には、一端が固定されたプラスチック製の弾性片６２の先端が当接している。そして、この弾性片６２の先端が回転体６１の外周の凹凸によって弾かれて音出しをするように構成されている。
【００２６】
２−３．逆転報知機構７０
図３に示されるように、銃本体１００ａには逆転報知機構７０が設けられている。この逆転報知機構７０はハンドル３１を逆回転（反時計方向に回転）させた際にユーザにそれを知らせるためのものである。この逆転報知機構７０は、フレーム１１内に構成され、次のように構成されている。
フレーム１１内には上記回転体３０と同軸に欠歯歯車７１が固定して設けられている。この欠歯歯車７１は、外周の所定角度範囲に歯が無い部分（欠歯部分）を有する歯車である。この欠歯歯車７１の上には下面にラック歯車７２ａが形成された箱体７２が前後方向に移動可能に配置されている。この箱体７２はスプリング（図示せず）によって前方に向けて付勢されている。また、箱体７２内には重りが収納されている。
この逆転報知機構７０によれば、ハンドル３１を正方向に回転（時計方向に回転）させたときには、欠歯歯車７１の歯車部分がラック歯車７２ａの最後尾の歯を弾くので、箱体７２はほとんど移動しない。一方、ハンドル３１を逆方向に回転（反時計方向に回転）させたときには、欠歯歯車７１の歯車部分がラック歯車７２ａの歯に噛合し、箱体７２を後方に移動させる。そして、欠歯歯車７１の回転によって、欠歯歯車７１の欠歯部分がラック歯車７２ａに対向すると、欠歯歯車７１の歯車部分とラック歯車７２ａの歯との噛合が解除され、箱体７２は上記スプリングの付勢力によって前方に移動する。
このようにすることで、ハンドル３１の逆転時には、ハンドル操作が重くなったり、軽くなったりを繰り返すので、ユーザはハンドル３１を逆転させていることを体感することができる。
【００２７】
３．銃身２０
上述したように、実施形態の輪ゴム銃１００の銃身２０は、第２シリンダ２１及び第１シリンダ２２を有する銃身本体２０ａと、８個のカートリッジ４０とによって構成されている。
【００２８】
３−１．カートリッジ４０
図４に示されるように、カートリッジ４０は、カートリッジ本体４１と、スライド板４２と、カバー４３と、弾性係合爪４４とによって構成されている。
カートリッジ本体４１の後半部とカバー４３とは左右対称形となっている。そして、このカートリッジ本体４１の後半部とカバー４３との間の隙間にスライド板４２及び弾性係合爪４４が配置されている。
カートリッジ本体４１の後半部の厚さ（左右方向の幅）は前半部の厚さの１／３程度となっている。具体的には、カートリッジ本体４１の後半部は前半部に比べて薄くなっており、カートリッジ本体４１の右後半部が抉れて右前半部との間に段差が形成されている。
そして、カートリッジ本体４１の左後半部の内面には、雌ねじ又は嵌合穴が形成された２つのボス４１ａ，４１ａが形成されている。この２つのボス４１ａ，４１ａは、前後方向に互いに離れた位置に高さを違えて形成されている。この２つのボス４１ａ，４１ａには、スライド板４２の対応する２つの長孔４２ａ，４２ａが１対１で嵌入されている。そして、カートリッジ本体４１の右後半部には、スライド板４２を挟み込むようにカバー４３が取り付けられている。このカバー４３の取付けは、ボス４１ａ，４１ａにカバー４３側から先端部に雄ねじ又はピン等を有する係合部材４３ａ，４３ａを係合させることによってなされる。
また、カートリッジ本体４１とカバー４３との間には弾性係合爪４４が設けられている。この弾性係合爪４４は、カートリッジ４０の後端部の下縁段差部の直前に設けられている。そして、弾性係合爪４４の爪部は段差部の壁から後方に突出している。この弾性係合爪４４はカートリッジ４０の取付けの際に用いられる。
【００２９】
カートリッジ４０の前端には、図５に示したように、引き伸ばした輪ゴム１の一端を係止する前側係止部４５が形成されている。一方、カートリッジ４０の後端には、輪ゴム１の他端を係止する後側係止部４６が形成されている。後側係止部４６は５個の係止爪４６ａ〜４６ｄが所定間隔に並んで波形形状となっている。各係止爪は後方斜め下方に延びる長辺と後方斜め上方に延びる短辺とから形成されている。そして、５本の輪ゴム１を係止する際に、図５に示されるように、引き伸ばした５本の輪ゴム１の一端が纏めて前側係止部４５に係止され、この５本の輪ゴム１の他端が１単位ずつ（例えば１本ずつ）別の係止爪４６ａ〜４６ｅに係止される。その際に、５本の輪ゴム１の中間部はカートリッジ４０の後端部上縁の共通の中間輪ゴム掛け４７に掛けられる。
【００３０】
図４に戻り、スライド板４２の後端には、カートリッジ４０の後側係止部４６の形状と略同形の波形部分４２ｂが形成されている。この波形部分は、後方斜め下方に延びる長辺と後方斜め上方に延びる短辺との組を並べて形成されている。この波形部分４２ｂの長辺には小さな窪みが形成されている。この波形部分４２ｂは、スライド板４２の往復動作に伴って、上記カートリッジ４０の後側係止部４６に対して出没するように構成されている。そして、係止爪４６ｂ〜４６ｅに他端が係止された輪ゴム１は、スライド板４２の一往復動作毎に順次に発射位置側の係止爪４６ａ〜４６ｄに送られる。具体的には、係止爪４６ｂ〜４６ｅに他端が係止された輪ゴム１は、スライド板４２が後方に移動する際に、他端（後端）が波形部分４２ｂの長辺には小さな窪みによって、後方に引かれた後、輪ゴム１の弾性力によって当該窪みが形成された長辺に沿って上方に移動し、その後、スライド板４２が前方に移動する際に、１つ上の係止爪４６ａ〜４６ｄに送られる。また、係止爪４５ａに他端が係止されていた輪ゴム１は、スライド板４２の往復動作によって発射される。
【００３１】
３−２．カートリッジ４０の取付け構造８０
図２に戻り、実施形態の輪ゴム銃１００には、銃身本体２０ａとカートリッジ４０とに亘ってカートリッジ４０の取付け構造８０が設けられている。
銃身本体２０ａの第１シリンダ２１の外周には前後一対のカートリッジ取付け部８１ａ，８２ｂの組が円周方向に計８個形成されている。このうちカートリッジ取付け部８１ａは半径方向外方及び後方に開口するＵ字状の嵌合部として構成されている。また、カートリッジ取付け部８１ｂは半径方向外方及び前方に開口するＵ字状の嵌合部として構成されている。そして、この前後一対のカートリッジ取付け部８１ａ，８１ｂにはカートリッジ４０が嵌込み可能となっている。
この嵌込みにあたっては、カートリッジ４０の先端下側の係止突起４９がカートリッジ取付け部８１ａの内奥の穴（図示せず）に潜り込む。また、カートリッジ４０の上記弾性係合爪４４がカートリッジ取付け部８１ｂの内奥の穴（図示せず）に係止される。カートリッジ４０の取外しは、力を入れてカートリッジ４０を引っ張れば、弾性係合爪４４の変形によって容易に行うことができる。
【００３２】
３−３．カム機構９０
図２に示されるように、実施形態の輪ゴム銃１００には、スライド板４２を往復動作させるカム機構９０が設けられている。
このカム機構９０は、第２シリンダ２１の外周に形成された三角片状のカム９１と、スライド板４２に形成されカートリッジ４０の後端部下方に張り出す突起（従動子）９２（図４及び図５参照）とを備えている。カム９１は、第１シリンダ２１の回転に伴って、スライド板４２の突起９２に当接し、スライド板４２を後方に動作させる。そして、第１シリンダ２１の回転に伴って、カム９１と突起９２との当接が解除されたときに、スライド板４２は、カートリッジ４０に係止された輪ゴム１によって前方に移動する。
【００３３】
以上、本考案の実施形態について説明したが、本考案は、かかる実施形態に限定されるものではなく、その要旨を逸脱しない範囲で種々変形可能であることは言うまでもない。
例えば、上記実施形態では、輪ゴム銃１００の輪ゴム係止部材として交換可能なカートリッジ４０を設けたが、輪ゴム係止部材は固定されていてもよい。
また、輪ゴム係止部材は１単位（例えば１本）の輪ゴム１だけを係止するように構成されていてもよい。
【符号の説明】
【００３４】
１００    輪ゴム銃
１０    グリップ
１１    フレーム
２０    銃身
２１    第２シリンダ
２２    第１シリンダ
３０    回転体
４５    前側係止部
４６    後側係止部
５０    回転機構
６０    音出し機構
７０    逆転報知機構
８０    取付け構造
９０    カム機構
【図１】
0003200748.tif 000003
【図２】
0003200748.tif 000004
【図３】
0003200748.tif 000005
【図４】
0003200748.tif 000006
【図５】
0003200748.tif 000007
【手続補正書】
【提出日】平成27年8月25日(2015.8.25)
【手続補正１】
【補正対象書類名】明細書
【補正対象項目名】０００６
【補正方法】変更
【補正の内容】
【０００６】
請求項１に記載の輪ゴム銃は、
引き伸ばした輪ゴムの一端を係止する前側係止部と、前記輪ゴムの他端を係止する後側係止部と、前後方向に往復動作して前記後側係止部の発射位置に係止された前記輪ゴムの係止を解除して前記輪ゴムを発射させるスライド板と、を有する輪ゴム係止部材と、
前記輪ゴム係止部材が周方向に所定間隔で複数設けられた第１部分と、
前記第１部分の近くに設けられ前後方向に延在する中心軸を中心に前記第１部分に対して相対回転可能な第２部分と、
操作子の操作によって前記第１部分と前記第２部分とを相対回転させる回転機構と、
前記スライド板と前記第２部分とに亘って構成され前記第１部分と前記第２部分とが相対回転したときに作動され前記スライド板を動作させるカム機構と、
を備え、
前記第１部分と前記第２部分との相対回転位置に応じて、複数の前記輪ゴム係止部材から順次に前記輪ゴムを発射させることを特徴とする。
【手続補正２】
【補正対象書類名】実用新案登録請求の範囲
【補正対象項目名】全文
【補正方法】変更
【補正の内容】
【実用新案登録請求の範囲】
【請求項１】
引き伸ばした輪ゴムの一端を係止する前側係止部と、前記輪ゴムの他端を係止する後側係止部と、前後方向に往復動作して前記後側係止部の発射位置に係止された前記輪ゴムの係止を解除して前記輪ゴムを発射させるスライド板と、を有する輪ゴム係止部材と、
前記輪ゴム係止部材が周方向に所定間隔で複数設けられた第１部分と、
前記第１部分の近くに設けられ前後方向に延在する中心軸を中心に前記第１部分に対して相対回転可能な第２部分と、
操作子の操作によって前記第１部分と前記第２部分とを相対回転させる回転機構と、
前記スライド板と前記第２部分とに亘って構成され前記第１部分と前記第２部分とが相対回転したときに作動され前記スライド板を動作させるカム機構と、
を備え、
前記第１部分と前記第２部分との相対回転位置に応じて、複数の前記輪ゴム係止部材から順次に前記輪ゴムを発射させることを特徴とする輪ゴム銃。
【請求項２】
前記輪ゴム係止部材は交換可能なカートリッジで構成され、
前記第１部分は複数の前記カートリッジを周方向に所定間隔で着脱可能に保持する第１シリンダで構成され、
前記第２部分は前記第１部分の前又は後ろに連設された第２シリンダで構成されている、
ことを特徴とする請求項１に記載の輪ゴム銃。
【請求項３】
前記輪ゴム係止部材の前記後側係止部には、一端を前側係止部に係止させた複数の輪ゴムの他端を１単位ずつ別々に係止可能な複数の係止爪が所定間隔に並んで形成され、前記スライド板の一往復動作毎に当該スライド板によって前記複数の係止爪に係止された前記輪ゴムを発射位置側の係止爪に順次に移送させることを特徴とする請求項１又は請求項２に記載の輪ゴム銃。
【請求項４】
前記輪ゴム係止部材の後側係止部は前記複数の係止爪が所定間隔に並んで波形形状となっており、
前記スライド板の後端は前記後側係止部に対応する波形形状となっており、この波形形状部分は、当該スライド板の往復動作に伴って、前記輪ゴム係止部材の波形形状部分に対して出没することを特徴とする請求項３に記載の輪ゴム銃。
【請求項５】
前記操作子は、前記第１部分と前記第２部分とを支持するフレームに設けられ、且つ、前記フレームに対して所定の軸を中心に回転する回転体の偏心位置に付設されたハンドルで構成されていることを特徴とする請求項１から請求項４いずれか一項に記載の輪ゴム銃。
【請求項６】
前記第２部分は固定されていることを特徴とする請求項１から請求項５いずれか一項に記載の輪ゴム銃。
【請求項７】
前記カム機構は、前記第２部分に形成されたカムと、前記スライド板に形成された前記カムによって動作される従動子とから構成されていることを特徴とする請求項６に記載の輪ゴム銃。